(57)【要約】【課題】リモコン操作するユーザにとって装置本体の表示手段であってもその表示を読みやすくし、操作性を向上させること。【解決手段】操作パネル5の操作スイッチ3あるいはリモコン6の操作スイッチの操作に従って演奏に係る情報が読み出されて表示装置2で表示される。表示装置2での文字表示は、リモコン6の操作の場合には操作パネル6の操作の場合より拡大されるなどして視認しやすいものになる。リモコン操作の場合の文字表示は、一定時間経過したら操作パネルの操作の場合の文字表示になるようにすることができる。また、表示装置2と同一内容が外部モニタで表示される場合には、リモコン操作の場合であっても操作パネル6の操作の場合の文字表示になるようにすることもできる。【選択図】図１
2008039817.tif 000002
【特許請求の範囲】
【請求項１】
演奏に係る情報を記憶している記憶手段と、
装置本体に備えられた表示手段と、
前記表示手段の表示および表示形態を制御する表示制御手段と、
装置本体に備えられ、前記記憶手段に記憶されている情報を読み出して前記表示手段へ表示させる指示を行う操作子を有する操作手段と、
装置本体とは別に設けられ、前記操作手段の機能の少なくとも一部機能を実行させることができる操作子を有するリモコン手段と、
前記操作手段の操作子の操作か前記リモコン手段の操作子の操作かを判定する判定手段を備え、
前記表示制御手段は、前記判定手段が前記リモコン手段の操作子の操作と判定した場合、前記操作手段の操作子の操作と判定した場合と比較して、前記表示手段の表示形態を視認しやすいものにすることを特徴とする電子楽音発生装置。
【請求項２】
前記判定手段が前記リモコン手段の操作子の操作と判定した場合の前記表示手段の表示形態を、予め設定された一定時間後、前記操作手段の操作子の操作と判定した場合の表示形態にすることを特徴とする請求項１に記載の電子楽音発生装置。
【請求項３】
前記表示手段の表示と同一内容の表示が外部モニタで行われる場合には、前記判定手段が前記リモコン手段の操作子の操作と判定しても前記操作手段の操作子の操作と判定した場合の表示形態とすることを特徴とする請求項１に記載の電子楽音発生装置。
【請求項４】
前記判定手段が前記リモコン手段の操作子の操作と判定した場合と前記操作手段の操作子の操作と判定した場合とで、表示倍率、コントラスト、文字太さ、表示色、網掛け、反転表示、バックライトのうちの少なくとも１つで前記表示手段の表示形態を変えることを特徴とする請求項１ないし３のいずれかに記載の電子楽音発生装置。
【請求項５】
前記表示手段の表示倍率を大きくして視認しやすくする場合、前記表示手段の左上隅を基準にして表示画面を拡大することを特徴とする請求項４に記載の電子楽音発生装置。
【発明の詳細な説明】
【技術分野】
【０００１】
本発明は、電子楽音発生装置に関し、特に、リモコン操作するユーザにとって装置本体の表示手段であってもその表示を読みやすくし、操作性を向上させることができる電子楽音発生装置に関する。
【背景技術】
【０００２】
従来、リモコンが付属された電子楽器が商品化されている。また、例えば640x240ドットのカラーLCDなど、大表示画面の表示パネルを有する電子楽器も商品化されている。
【０００３】
リモコン操作によれば、電子楽器から離れた位置で、例えばデモ曲リストを表示パネルに表示させ、表示されたデモ曲リストの中から実際にデモを行う曲を選択し、再生させることや、音色、リズム、テンポなどの設定が可能である。
【０００４】
特許文献１には、変化に富んだ歌詞表示が可能なカラオケ装置が記載されている。このカラオケ装置では、演奏される楽曲の歌詞を縦方向に縮小して表示し、広くなった行間に当該楽曲に対応したコード名を表示する。
【０００５】
特許文献２には、視力が低下した人でも見やすい歌詞画像を表示できるカラオケ装置が記載されている。このカラオケ装置では、ユーザ入力された文字サイズ指定値に該当するに推奨文字サイズが歌詞描画データに設定されている場合には該当する推奨文字サイズで歌詞画像を生成し、該当する推奨文字サイズが歌詞描画データに設定されていない場合には規定の文字サイズで歌詞画像を生成する。
【特許文献１】特開２０００−２４２２８０号公報
【特許文献２】特開２００１−３３１１８７号公報
【発明の開示】
【発明が解決しようとする課題】
【０００６】
表示パネルに表示される文字は、楽器本体直前のユーザが読めるような大きさで表示されるのが普通である。この表示の文字の大きさは、演奏者のように楽器本体の前に座ったユーザが見る場合には問題とならないが、楽器本体から離れた位置のユーザがリモコン操作で各種演奏パラメータの設定などを行い、その表示を見る場合には問題となる。例えば、楽器本体の前に座った生徒の演奏を指導する指導者は、楽器本体から離れた位置でリモコン操作することが多いが、指導者にとっては表示パネルの表示の文字が小さくて読めない、あるいは見づらいという問題がある。
【０００７】
特許文献１，２は、文字表示の大きさを変えるものであるが、カラオケ装置に関するものであり、電子楽音発生装置でのリモコン操作時の表示を問題とするものではない。
【０００８】
本発明の目的は、上記課題を解決し、リモコン操作するユーザにとって装置本体の表示手段であってもその表示を読みやすくし、操作性を向上させることができる電子楽音発生装置を提供することにある。
【課題を解決するための手段】
【０００９】
上記課題を解決するために、本発明は、演奏に係る情報を記憶している記憶手段と、装置本体に備えられた表示手段と、前記表示手段の表示および表示形態を制御する表示制御手段と、装置本体に備えられ、前記記憶手段に記憶されている情報を読み出して前記表示手段へ表示させる指示を行う操作子を有する操作手段と、装置本体とは別に設けられ、前記操作手段の機能の少なくとも一部機能を実行させることができる操作子を有するリモコン手段と、前記操作手段の操作子の操作か前記リモコン手段の操作子の操作かを判定する判定手段を備え、前記表示制御手段は、前記判定手段が前記リモコン手段の操作子の操作と判定した場合、前記操作手段の操作子の操作と判定した場合と比較して、前記表示手段の表示形態を視認しやすいものとする点に第１の特徴がある。
【００１０】
また、本発明は、前記判定手段が前記リモコン手段の操作子の操作と判定した場合の前記表示手段の表示形態を、予め設定された一定時間後、前記操作手段の操作子の操作と判定した場合の表示形態にする点に第２の特徴がある。
【００１１】
また、本発明は、前記表示手段の表示と同一内容の表示が外部モニタで行われる場合には、前記判定手段が前記リモコン手段の操作子の操作と判定しても前記操作手段の操作子の操作と判定した場合の表示形態とする点に第３の特徴がある。
【００１２】
また、本発明は、前記判定手段が前記リモコン手段の操作子の操作と判定した場合と前記操作手段の操作子の操作と判定した場合とで、表示倍率、コントラスト、文字太さ、表示色、網掛け、反転表示、バックライトのうちの少なくとも１つで前記表示手段の表示形態を変える点に第３の特徴がある。
【００１３】
また、本発明は、前記表示手段の表示倍率を大きくして視認しやすくする場合、前記表示手段の左上隅を基準にして表示画面を拡大する点に第４の特徴がある。
【発明の効果】
【００１４】
本発明では、リモコン手段の操作の場合には、装置本体の操作手段の操作の場合より、表示手段の表示形態を視認しやすいものとするので、リモコン操作するユーザにとって表示手段の表示を読みやすくなり、操作性を向上させることができる。
【００１５】
また、リモコン手段の操作の場合の表示形態を、予め設定された一定時間後、装置本体の操作手段の操作の場合の表示形態に戻したり、表示手段の表示と同一内容の表示が外部モニタで行われる場合には、リモコン手段の操作の場合であっても装置本体の操作手段の操作の場合の表示形態のままとすることにより、リモコンを操作するユーザおよび装置本体の操作手段を操作するユーザそれぞれに対して最適な表示とすることができる。
【発明を実施するための最良の形態】
【００１６】
以下、図面を参照して本発明を説明する。図１は、本発明に係る電子楽音発生装置の第１実施形態を示す外観図である。図１に示すように、第１実施形態の電子楽音発生装置は、電子ピアノの形態をなし、鍵盤1、表示装置(LCD)2、各種パネルスイッチ3、リモコン受光部4などを備える。LCD2、各種パネルスイッチ3、リモコン受光部4は、操作パネル5に配置される。各種パネルスイッチ3の各々にはパネルスイッチ操作状態表示用発光素子(LED)が内蔵される。
【００１７】
電子ピアノにおける各種演奏パラメータは、各種パネルスイッチ3により設定制御でき、LCD2は、演奏パラメータを選択するためのメニュー画面や現在設定されている演奏パラメータなどを表示する。
【００１８】
電子ピアノにはリモコン6が付属しており、リモコン6は、リモコン操作による操作情報を光信号として送信する。リモコン受光部4は、リモコン6から送信された光信号を受光し、操作情報を電子ピアノ内部のCPUに送出する。CPUは、操作情報に応じて各種演奏パラメータの設定制御を行うとともにLCD2に現在設定されている演奏パラメータを表示させる。
【００１９】
図２は、第１実施形態の電子楽音発生装置の構成を示すブロック図である。図２において、図１と同一あるいは同等部分には同じ符号を付している。
【００２０】
CPU21は、ROM22に格納されている制御プログラムに従って電子楽音発生装置全体の制御を行う。CPU21はタイマ割り込み回路を備えている。
【００２１】
ROM22には制御プログラム、音色パラメータやテンポ、リズムについてのパラメータなどの演奏状態を設定するための各種演奏パラメータ、デモ曲のデータなどが記憶されている。RAM23は、CPU21のワークエリアおよびバッファとして使用され、また、楽器内の各種制御データ、MIDIデータなどを格納する。デモ曲のデータは、RAM23に格納することもできる。RAM23は、例えばバッテリによりバックアップされていてもよいし、書き換え可能であり、電源を切ってもデータが消えない不揮発性半導体メモリであるフラッシュメモリを用いてもよい。
【００２２】
LCD2は、操作パネル5(図１)に配置され、設定時のメニュー画面やパネルスイッチ3あるいはリモコン6の操作で設定された演奏時の演奏パラメータを表示する。外部記憶媒体インタフェース24は、外部記憶媒体から楽音情報を入力したり、本装置で発生された楽音情報を外部記憶媒体に出力して記憶させたりするためのものである。外部入出力インタフェース(MIDI I/F)25は、電子楽音発生装置と外部MIDI機器との間でMIDI情報のやり取りを行う信号送受信回路である。
【００２３】
リモコン受光部4は、CPU21のシリアルポートに接続され、リモコン6から送信された光信号を受光し、リモコン操作による操作情報をCPU21のシリアルポートに入力する。リモコン6は、演奏パラメータを設定するための各種リモコンスイッチを備えている。
【００２４】
鍵盤1は複数のキー(鍵)を有し、それぞれのキーオン／キーオフを示すキーイベント情報や押鍵強さつまりベロシティを示すタッチ情報を検知するための、例えば２つのセンサを有している。キースキャン回路26は、上記センサの状態に基づいてキーイベント情報やタッチ情報を生成する。これらの情報はキーナンバに対応付けられてRAM23に記憶される。キーイベント情報はCPU21にも供給される。
【００２５】
演奏時の各種パラメータを設定するためのパネルスイッチ3およびパネルスイッチ操作状態表示用発光素子(LED)3は、操作パネル5(図１)に配置される。
【００２６】
パネルスキャン回路27は、パネルスイッチ3の状態をスキャンしてパネルスイッチイベント情報を生成し、各種情報をLCD2に表示させる。また、パネルスキャン回路27により生成されたスイッチイベント情報は各操作スイッチに対応付けられてRAM23に記憶される。
【００２７】
楽音発生部28は、波形読み出し方式により所望の楽音信号を発生する回路であり、例えばデジタルコントロール・オシレータ(DCO)、デジタルコントロール・フィルタ(DCF)、デジタルコントロール・アンプ(DCA)、エンベロープ発生回路、DSP(digital signal processor)を有する。楽音発生部29は、複数、例えば３２の楽音発生チャネルを有しているが、実際には、１つの楽音発生回路を時分割多重動作させることにより同時に複数の楽音信号を独立して発生可能に構成されている。
【００２８】
ここでは、デジタル楽音波形サンプル値が記憶されている波形ROM29から、発音すべき音高に比例したアドレス間隔で順次波形データを読み出し、補間演算を行って楽音波形信号を発生させる。また、エンベロープ発生回路において、楽音波形信号にエンベロープ信号を乗算してエンベロープを付与し、デジタル信号処理用LSIからなるDSPにおいて、楽音信号にディレイやリバーブなどのエフェクトを付与する。
【００２９】
楽音発生部28から発生されるデジタル楽音信号は、D/A変換部30によりアナログ楽音信号に変換された後、アナログ信号処理部31、アンプ32を介してスピーカ33に供給される。バス34は、電子楽音発生装置の上記各部間を接続する。各構成要素間での楽音情報や制御情報のやり取りはバス34を介して行われる。
【００３０】
図３は、操作パネル5の具体例を示す外観構成の正面図である。操作パネル5には、演奏時のパラメータを設定するためのパネルスイッチ3として各種操作子が配置される。すなわち、操作パネル5には、楽器の全体音量を設定するための楽音発生音量設定用マスタ・ボリューム3-1、選択可能なデモ曲リストを表示させるためのデモ曲用スイッチ3-2、複数の音色選択スイッチ3-3、複数のリズム選択スイッチ3-4、テンポの設定を可能にするためのテンポ用スイッチ3-5、表示されたデモ曲リストから実際にデモを行う曲を選択したり、テンポなどの演奏パラメータを可変設定したりするためUP/DOWNスイッチ3-6、ディスクシーケンサ3-7、シーケンサ各パート音量設定用ボリューム3-8、エフェクトオン/オフスイッチ3-9、リバーブオン/オフスイッチ3-10、トランスポーズ値設定用スイッチ3-11、スプリット選択スイッチ3-12およびメトロノーム選択スイッチ3-13が配置される。また、操作パネル5の中央部には、LCD2が配置される。
【００３１】
デモ曲用スイッチ3-2、複数の音色選択スイッチ3-3、複数のリズム選択スイッチ3-4、エフェクトオン/オフスイッチ3-9、リバーブオン/オフスイッチ3-10、トランスポーズ値設定用スイッチ3-11、スプリット選択スイッチ3-12、メトロノーム選択スイッチ3-13、ディスクシーケンサ3-7の再生/停止スイッチや録音スイッチには、LEDなどの発光素子が内蔵されており、これらの発光素子は、対応するスイッチによる選択や設定が現在行われているか否かを知らせる。
【００３２】
図４は、リモコンの具体例を示す外観構成の正面図である。リモコン6の操作面は、基本的には操作パネル5と同じでよいが、ここでは、その一部機能を実行させることができる操作子、すなわち、楽音発生音量設定用マスタ・ボリューム6-1、選択可能なデモ曲リストを表示させるためのデモ曲用スイッチ6-2、選択可能な音色リストを表示させるための音色選択用スイッチ6-3、選択可能なリズムリストを表示させるためのリズム用スイッチ6-4、テンポを可変設定するための(+)(-)スイッチ6-5、表示されたデモ曲リストから実際にデモを行う曲を選択したり、表示された音色リストから実際に用いる音色を選択したり、表示されたリズムリストから実際に用いるリズムを選択したりするためUP/DOWNおよび実行スイッチ6-6およびディスクシーケンサ6-7が配置されている。
【００３３】
以上の構成において、ユーザが操作パネル5の操作子を操作すると、この操作によるイベントがLCD2に通常表示され、該イベントの処理が実行される。また、ユーザがリモコン6の操作子を操作すると、この操作によるイベントがLCD2にリモコン操作表示され、該イベントの処理が実行される。リモコン6の操作子を操作であることは、CPU21への入力がシリアルポートからであることにより判別できる。
【００３４】
ここで、通常表示では、初期設定された大きさの文字表示となり、リモコン操作表示では、それより拡大された文字表示となって、楽器本体の前に座っていないユーザにとって表示内容がより視認しやいようになる。文字表示の拡大率は、拡大前後の表示の対応関係や表示文字数などから120〜150％程度が好ましいが、適宜変更して設定できるようにすることもできる。
【００３５】
文字表示を拡大する場合、LCD2の表示画面の左上を基準にして画面拡大を行えばよい。また、画面拡大により画面の表示領域外となった部分がある場合には、スクロールやページ送りなどで該部分を見るようにすることができ、また、横方向で表示領域外となった部分は次の行として表示領域内に表示させることもできる。このような表示の制御は、種々の手法で実現でき、特定の手法に限定されない。
【００３６】
図５は、第１実施形態のメインルーチン(全体の処理)を示すフローチャートである。まず、電源が投入されたならば、CPU21、RAM23、楽音発生部29を構成するLSIなどを初期化する(S51)。このとき、LCD2には文字の大きさなどが通常の初期画面が表示されるようにする。
【００３７】
次に、イベントが発生したか否かを判定する(S52)。S52でイベントが発生したと判定された場合にはイベント処理(S53)を実行した後、S54に進み、イベントが発生していないと判定された場合には直接S54に進む。S54ではその他の処理を実行する。その後、S52にリターンする。
【００３８】
図６は、イベント処理(S53)を示すフローチャートである。イベント処理では、まず、イベントが楽器本体側の操作パネル5での操作によるものかリモコン6での操作によるものかを判定する(S61)。S61でイベントが操作パネル5での操作によるものと判定された場合、S62に進んでLCD2に通常表示によるイベント表示を行わせ、リモコン6での操作によるものと判定された場合にはS63に進んでリモコン操作表示によるイベント表示を行わせる(S63)。
【００３９】
S62で通常表示を行った後、およびS63でリモコン操作表示を行った後は、イベントに応じた内部処理を実行する(S64)。その後、メインルーチン(図５)にリターンする。なお、リモコン操作表示は、操作パネル5での次のイベントがあればその時点で通常表示に戻るが、操作パネル5やリモコン6に表示戻しスイッチを設けておいて通常表示に積極的に戻すようにすることもできる。これは、内部処理(S64)の中に、表示戻しスイッチが操作されたか否かを判定する処理および表示戻しスイッチが操作されたと判定された場合、通常表示によるイベント表示を行わせる処理を追加することで実現できる。
【００４０】
図７は、第１実施形態におけるデモ演奏曲目リストの表示の具体例を示す。図７(ａ)は、操作パネル5のデモ曲用スイッチ5-2が操作された場合であり、まず、デモ曲リストの１ページ目が表示される。この表示の当初では最上部曲目の選択状態である(なお、図示していないが表示上で選択状態が分かるようになっている)が、UP/DOWNスイッチ5-6で適宜の曲目を選択することができる。また、最下部曲よりさらにUP/DOWNスイッチ5-6をDOWN操作すれば、次ページのデモ演奏曲目リストを表示させることができる。
【００４１】
図７(ｂ)は、リモコン6のデモ曲用スイッチ6-2が操作された場合であり、操作パネル5と同様に、UP/DOWNスイッチ6-6で適宜の曲目を選択することができる。ただし、この場合、デモ曲リストは、文字表示が拡大されたことに伴って３ページに亘っている。
【００４２】
以上のように、第１実施形態によれば、LCD2の表示は、操作パネル5が操作された場合は通常表示であり、リモコン6が操作された場合には楽器本体から離れた位置で視認しやいリモコン操作表示となる。したがって、楽器本体の前に座っているユーザが操作パネル5を操作すれば通常表示とすことができ、楽器本体から離れているユーザがリモコン6を操作すればリモコン操作表示をすることができるので、それぞれのユーザに対して最適な表示とすることができる。
【００４３】
次に、本発明に係る電子楽音発生装置の第２実施形態を説明する。第２実施形態は、リモコンが操作されてリモコン操作表示が行われた後、予め設定された一定時間経過後に通常表示に戻すようにしたものである。
【００４４】
第２実施形態は、メインルーチンにおけるその他の処理(S54)が異なる以外は第１実施形態と同じである。図８は、第２実施形態におけるその他の処理のフローチャートである。
【００４５】
第２実施形態では、リモコン6が操作されてリモコン操作表示となったときにタイマに一定時間値をセットし、以後、所定クロックでデクリメントする(S81)。次に、タイマの値が「0」になったか否かを判定し(S82)、「0」でないと判定された場合にはその他の処理を実行してリターンする。この状態ではLCD2の表示は、リモコン操作表示のままである。また、この状態で再びリモコン6が操作された場合、再びタイマに一定時間をセットする。
【００４６】
S82でタイマの値が「0」になったと判定された場合には、LCD2の表示を通常表示に戻し(S83)、その後にS84に進む。ここで、タイマにセットする一定時間値を任意にセット可能にしておけば、リモコン操作表示が行われる時間を適宜変更できる。また、リモコン操作表示が行われる時間を「0」や「∞」にセット可能にし、「0」にセットされた場合にはリモコン操作であってもリモコン操作表示を行わず、常に通常表示を行わせ、「∞」にセットされた場合には楽器本体側での操作がなされるまでリモコン操作表示を行わせたままとするようにすることもできる。
【００４７】
図９は、第１実施形態におけるデモ演奏曲目リストの表示の具体例を示す。図９は、まず、リモコン6のデモ曲用スイッチ6-2が操作されてデモ演奏曲目リストの１ページ目がリモコン操作表示され、予め設定された一定時間が経過して通常表示に戻り、その後、リモコン6のUP/DOWNスイッチ6-6が操作されて通常表示に対する次ページがリモコン操作表示され、さらに、一定時間が経過して通常表示の戻る場合の表示推移を示している。
【００４８】
次に、本発明に係る電子楽音発生装置の第３実施形態を説明する。第３実施形態は、LCD2での表示と同一内容の表示を外部モニタに行わせることができる電子楽音発生装置に本発明を適用したものである。
【００４９】
図１０は、この第３実施形態を示す外観図である。図１０において、図１と同一あるいは同等部分には同じ符号を付している。楽器本体は映像出力端子101を有する。この映像出力端子101にケーブル102で接続された外部モニタ103によりLCD2の表示と同一内容の表示を行わせることができる。
【００５０】
このような電子楽音発生装置において、外部モニタ103によりLCD2の表示と同一内容の表示を行わせる場合、楽器本体から離れているユーザは、外部モニタ103の表示を見ながらリモコン6を操作することが多いと考えられ、この場合には、楽器本体側の表示は、楽器本体の前に座っているユーザのために通常表示のそのままとしておく方がよい。
【００５１】
そこで、外部モニタ103によりLCD2の表示と同一内容の表示を行わせる場合には、リモコン6での操作によるものと判定されたとしても通常表示によるイベント表示を行わせ、外部モニタ103でイベント表示をしない場合でリモコン6での操作によるものと判定された場合にのみリモコン操作表示によるイベント表示を行わせる。
【００５２】
これは、図６のリモコン操作表示(S63)を図１１のフローチャートとすることにより実現できる。つまり、外部モニタ103でイベント表示するか否かを判定し(S111)、ここで外部モニタ103でイベント表示すると判定された場合、通常表示によるイベント表示を行わせ(S112)、イベント表示しないと判定された場合にはリモコン操作表示によるイベント表示を行わせる(S113)。
【００５３】
なお、外部モニタ103でイベント表示するか否かは、メニュー画面で予め選択可能にすることができる。また、映像出力端子101においてケーブル102が接続されたか否かを検知し、この検知結果を外部モニタ103でイベント表示するか否に対応付けることもできる。
【００５４】
以上、実施形態を説明したが、本発明は上記実施形態に限定されるものではなく、種々に変形可能である。例えば、通常表示とリモコン操作表示を、第１実施形態のように行うか、第２実施形態のように行うか、あるいは第３実施形態のように行うかのモード選択をメニュー画面で可能にしておくことができる。
【００５５】
また、上記説明では、通常表示とリモコン操作表示とで文字の大きさを変えて視認しやすさを変えるものとしたが、視認しやすさは、コントラスト、文字太さ、表示色、網掛け、反転表示、バックライトなどによっても変えることとができる。例えば、コントラストを強めたり、文字をある程度太くすることによって視認しやすくすることができる。また、表示を目立つ色にしたり、網掛けや反転表示させることによっても視認しやすくすることができる。さらにバックライトを強めることによっても視認しやすくすることができる。このようなリモコン操作表示の形態は適宜変更可能にすることもできる。
【図面の簡単な説明】
【００５６】
【図１】本発明に係る電子楽音発生装置の第１実施形態を示す外観図である。
【図２】第１実施形態の電子楽音発生装置の構成を示すブロック図である。
【図３】操作パネルの具体例を示す外観構成の正面図である。
【図４】リモコンの具体例を示す外観構成の正面図である。
【図５】第１実施形態のメインルーチンを示すフローチャートである。
【図６】図５のイベント処理を示すフローチャートである。
【図７】第１実施形態におけるデモ演奏曲目リストの表示の具体例を示す図である。
【図８】第２実施形態におけるその他の処理のフローチャートである。
【図９】第２実施形態におけるデモ演奏曲目リストの表示の具体例を示す図である。
【図１０】本発明に係る電子楽音発生装置の第３実施形態を示す外観図である。
【図１１】第３実施形態におけるリモコン操作表示のフローチャートである。
【符号の説明】
【００５７】
1・・・鍵盤、2・・・LCD、3・・・パネルスイッチ、3-1,6-1・・・楽音発生音量設定用マスタ・ボリューム、3-2,6-2・・・デモ曲用スイッチ、3-3,6-3・・・音色選択スイッチ、3-4・・・リズム選択スイッチ、3-5・・・テンポ用スイッチ、3-6・・・UP/DOWNスイッチ、3-7,6-7・・・ディスクシーケンサ、3-8・・・シーケンサ各パート音量設定用ボリューム、3-9・・・エフェクトオン/オフスイッチ、3-10・・・リバーブオン/オフスイッチ、3-11・・・トランスポーズ値設定用スイッチ、3-12・・・スプリット選択スイッチ、3-13・・・メトロノーム選択スイッチ、4・・・リモコン受光部、5・・・操作パネル、6・・・リモコン、6-4・・・リズム用スイッチ、6-5・・・テンポ可変設定用(+)(-)スイッチ、6-6・・・UP/DOWNおよび実行スイッチ、21・・・CPU、22・・・ROM、23・・・RAM、24・・・外部記憶媒体インタフェース、25・・・外部入出力インタフェース(MIDI I/F)、26・・・キースキャン回路、27・・・パネルスキャン回路、28・・・楽音発生部、29・・・波形ROM、30・・・D/A変換部、31・・・アナログ信号処理部、32・・・アンプ、33・・・スピーカ、34・・・バス、101・・・映像出力端子、102・・・ケーブル、103・・・外部モニタ
【図１】
2008039817.tif 000003
【図２】
2008039817.tif 000004
【図３】
2008039817.tif 000005
【図４】
2008039817.tif 000006
【図５】
2008039817.tif 000007
【図６】
2008039817.tif 000008
【図７】
2008039817.tif 000009
【図８】
2008039817.tif 000010
【図９】
2008039817.tif 000011
【図１０】
2008039817.tif 000012
【図１１】
2008039817.tif 000013